(57)【要約】【課題】比較的低粘度な塗布液を比較的薄膜で安定的に塗布することができる塗布装置を提供する。【解決手段】搬送する基材に塗布液を塗布するためのスリットダイと、該スリットダイの基材搬送方向上流側に減圧手段とを少なくとも備える塗布装置であって、  該スリットダイは、リップの幅方向両端のそれぞれ外側に、スリットダイに対して基材搬送方向の下流側から上流側へ空気が移動するのを抑制するための邪魔板を備え、  該邪魔板は基材と接触しないように設けられていることを特徴とする、塗布装置。【選択図】図２
2016175052.tif 000002
【特許請求の範囲】
【請求項１】
搬送する基材に塗布液を塗布するためのスリットダイと、該スリットダイの基材搬送方向上流側に減圧手段とを少なくとも備える塗布装置であって、
該スリットダイは、リップの幅方向両端のそれぞれ外側に、スリットダイに対して基材搬送方向の下流側から上流側へ空気が移動するのを抑制するための邪魔板を備え、
該邪魔板は基材と接触しないように設けられていることを特徴とする、塗布装置。
【請求項２】
前記邪魔板が、リップから吐出した塗布液と接触しないように設けられている、請求項１に記載の塗布装置。
【請求項３】
前記邪魔板が、リップの幅方向両端でかつ塗布液の流れ方向における先端部と接触しないように設けられている、請求項２に記載の塗布装置。
【請求項４】
前記邪魔板と、前記リップの幅方向両端でかつ塗布液の流れ方向における先端部との間に切欠き部を有する、請求項３に記載の塗布装置。
【請求項５】
前記邪魔板が、リップの幅方向両端でかつ塗布液の流れ方向における先端部近傍に切欠き部を有する、請求項２に記載の塗布装置。
【請求項６】
前記切欠き部の平面形状が三角形である、請求項４または５に記載の塗布装置。
【請求項７】
前記切欠き部の開口幅（ｈ３）は、前記リップと基材とのクリアランス（ｈ０）と同等もしくは大きいことを特徴とする、請求項４〜６のいずれかに記載の塗布装置。
【請求項８】
前記リップと基材とのクリアランス（ｈ０）が７０μｍ以下であり、前記邪魔板と基材とのクリアランス（ｈ１）と前記（ｈ０）との関係が、同等もしくは下記式１を満足することを特徴とする、請求項１〜４のいずれかに記載の塗布装置。
（ｈ０−５０μｍ）≦ｈ１≦（ｈ０＋５０μｍ）・・・式１
【請求項９】
前記スリットダイが、少なくとも、下流側ブロック、シムプレートおよび上流側ブロックをこの順に配置した構成を有し、前記邪魔板が前記シムプレートに一体的に成形されている、請求項１〜８のいずれかに記載の塗布装置。
【請求項１０】
前記邪魔板が、スリットダイのリップの幅方向両端のそれぞれ外側であってかつ基材に対向する面に設けられた邪魔板挿入孔に邪魔板の一部が挿入されて固定されている、請求項１〜８のいずれかに記載の塗布装置。
【請求項１１】
請求項１〜１０のいずれかに記載の塗布装置を用いて、２３℃での粘度が３０ｍＰａ・ｓ以下である塗布液を、ウェット膜厚が２０μｍ以下で基材に塗布することを特徴とする塗布方法。
【請求項１２】
請求項１〜１０のいずれかに記載の塗布装置を用いて、塗布液を基材に塗布して積層フィルムを得る、積層フィルムの製造方法。
【請求項１３】
請求項１１に記載の塗布方法を用いて塗布液を基材に塗布し、積層フィルムを得る、積層フィルムの製造方法。
【発明の詳細な説明】
【技術分野】
【０００１】
本発明は、塗布装置および塗布方法に関し、詳細にはスリットダイと減圧手段を備える塗布装置およびこの塗布装置を用いた塗布方法に関する。
【背景技術】
【０００２】
従来、基材（可撓性支持体）の表面に任意の厚さの塗布膜（塗布層）を塗布、製膜する塗布装置として、バーコータ方式、リバースロールコータ方式、グラビアロールコータ方式、エクストルージョンコータなどのスロットダイコータ方式などが知られている。
【０００３】
これらの中でもスリットダイコータ方式の塗布装置は、他の方式と比較して高速で薄膜（薄層）の塗布が可能であることから広く使用されている。
【０００４】
このようなスリットダイコータ方式の塗布装置として、従来からビード減圧式のスリットダイ（スリットダイの上流側に減圧手段が配置された塗布装置）が知られている（例えば、特許文献１〜４）。
【０００５】
また、上記特許文献４は、ビードの幅方向両端部のビード安定化（ビードが破断することを抑制）のために、スリットの幅方向両端部に塗布幅規制のためのスペーサが挿入されたエクストルージョン塗布装置において、スペーサの少なくとも先端部をスリット先端から突出させてウエブ面（基材面）に当接させた状態で塗布するエクストルージョン塗布装置を開示する。
【先行技術文献】
【特許文献】
【０００６】
【特許文献１】特開２００３−５３２３３号公報
【特許文献２】特開２００６−９５４５６号公報
【特許文献３】特開２００８−２３４０５号公報
【特許文献４】特開２００９−２２００２５号公報
【発明の概要】
【発明が解決しようとする課題】
【０００７】
ビード減圧方式の場合、通常、スリットダイのリップの幅方向両端部の下流側は開口されている（特許文献１〜３）。このように、スリットダイのリップの幅方向両端部の下流側が開口していると、リップと基材との間から大気が流入することで、十分な減圧効果が得られず、塗布液のビードが破断（ビードブレイク）することがある。また、減圧効果の低下は塗布速度増速の障害となることがある。
【０００８】
また、スリットダイのリップの幅方向両端部の下流側から大気が流入することで塗膜の幅方向端部の膜厚に異常をきたすという問題が発生することがある。
【０００９】
これらの問題は、特に、比較的低粘度の塗布液（例えば、２３℃での粘度が３０ｍＰａ・ｓ以下の塗布液）を比較的薄膜（例えば、ウェット膜厚が２０μｍ以下）で塗布するときに起こりやすくなる。
【００１０】
一方、特許文献４は、スリットの幅方向両端部の塗布幅規制のために配置されたスペーサの少なくとも先端部をスリット先端から突出させてウエブ面（基材面）に当接させることを開示する。特許文献４は、このように下流側の開口部を閉塞させるが、スペーサと基材が接触するために、塗布液がスペーサを介して基材側に付着することが懸念される。また、スペーサが基材と接触することにより、基材に傷が付いたり、連続搬送する基材の微弱な振動が塗布液のビードに伝達されてビードが不安定になり塗布ムラを引き起こす懸念がある。
【００１１】
また、特許文献４は、塗布液のビードとスペーサとを接触させながら塗布することから、スペーサに対する塗布液のぬれ性が悪い場合はビードが縮流することがあり、塗布液毎にスペーサとのぬれ性を考慮する必要がある。
【００１２】
上述の問題は、特に、比較的低粘度の塗布液を比較的薄膜で塗布するときに起こりやすくなる。
【００１３】
従って、本発明の目的は、比較的低粘度な塗布液を比較的薄膜で安定的に塗布することができる塗布装置および塗布方法を提供することにある。
【課題を解決するための手段】
【００１４】
本発明の上記目的は、以下の発明によって基本的に達成された。
［１］搬送する基材に塗布液を塗布するためのスリットダイと、該スリットダイの基材搬送方向上流側に減圧手段とを少なくとも備える塗布装置であって、
該スリットダイは、リップの幅方向両端のそれぞれ外側に、スリットダイに対して基材搬送方向の下流側から上流側へ空気が移動するのを抑制するための邪魔板を備え、
該邪魔板は基材と接触しないように設けられていることを特徴とする、塗布装置。
［２］前記邪魔板が、リップから吐出した塗布液と接触しないように設けられている、［１］に記載の塗布装置。
［３］前記邪魔板が、リップの幅方向両端でかつ塗布液の流れ方向における先端部と接触しないように設けられている、［２］に記載の塗布装置。
［４］前記邪魔板と、前記リップの幅方向両端でかつ塗布液の流れ方向における先端部との間に切欠き部を有する、［３］に記載の塗布装置。
［５］前記邪魔板が、リップの幅方向両端でかつ塗布液の流れ方向における先端部近傍に切欠き部を有する、［２］に記載の塗布装置。
［６］前記切欠き部の平面形状が三角形である、［４］または［５］に記載の塗布装置。
［７］前記切欠き部の開口幅（ｈ３）は、前記リップと基材とのクリアランス（ｈ０）と同等もしくは大きいことを特徴とする、［４］〜［６］のいずれかに記載の塗布装置。
［８］前記リップと基材とのクリアランス（ｈ０）が７０μｍ以下であり、前記邪魔板と基材とのクリアランス（ｈ１）と前記（ｈ０）との関係が、同等もしくは下記式１を満足することを特徴とする、［１］〜［４］のいずれかに記載の塗布装置。
（ｈ０−５０μｍ）≦ｈ１≦（ｈ０＋５０μｍ）・・・式１
［９］前記スリットダイが、少なくとも、下流側ブロック、シムプレートおよび上流側ブロックをこの順に配置した構成を有し、前記邪魔板が前記シムプレートに一体的に成形されている、［１］〜［８］のいずれかに記載の塗布装置。
［１０］前記邪魔板が、スリットダイのリップの幅方向両端のそれぞれ外側であってかつ基材に対向する面に設けられた邪魔板挿入孔に邪魔板の一部が挿入されて固定されている、［１］〜［８］のいずれかに記載の塗布装置。
［１１］  ［１］〜［１０］の何れかに記載の塗布装置を用いて、２３℃での粘度が３０ｍＰａ・ｓ以下である塗布液を、ウェット膜厚が２０μｍ以下で基材に塗布することを特徴とする塗布方法。
［１２］  ［１］〜［１０］のいずれかに記載の塗布装置を用いて、塗布液を基材に塗布して積層フィルムを得る、積層フィルムの製造方法。
［１３］  ［１１］に記載の塗布方法を用いて塗布液を基材に塗布し、積層フィルムを得る、積層フィルムの製造方法。
【発明の効果】
【００１５】
本発明の塗布装置を用いることにより、比較的低粘度の塗布液を比較的薄膜で安定的に塗布することが可能になる。
【図面の簡単な説明】
【００１６】
【図１】図１は本発明の塗布装置の一例を示す模式側面図である。
【図２】図２は本発明の塗布装置の一例を示す模式上面図である。
【図３】図３は本発明の塗布装置に用いられるスリットダイの一例の模式断面図である。
【図４】図４は本発明の塗布装置の一例を示す要部の模式上面図である。
【図４ａ】図４ａは、図４における切欠き部の平面形状を説明するための説明図である。
【図５】図５は本発明の塗布装置の一例を示す要部の模式上面図である。
【図５ａ】図５ａは、図５における切欠き部の平面形状を説明するための説明図である。
【図６】図６は本発明の塗布装置の一例を示す要部の模式上面図である。
【図７】図７は本発明の塗布装置の一例を示す要部の模式上面図である。
【図７ａ】図７ａは、図７における切欠き部の平面形状を説明するための説明図である。
【図８】図８は本発明の塗布装置におけるスリットダイを構成するシムプレートの一例の模式平面図である。
【図９ａ】図９ａは邪魔板が取付けられる前のスリットダイの一例の模式上面図である。
【図９ｂ】図９ｂは邪魔板が取付けられた後のスリットダイの一例の模式上面図である。
【発明を実施するための形態】
【００１７】
以下、本発明にかかる塗布装置を、図面を参照して詳細に説明する。
【００１８】
本発明にかかる塗布装置は、スリットダイを用いた塗布装置である。図１は、本発明の塗布装置の一例を示す模式側面図であり、図２は本発明の塗布装置の一例を示す模式上面図であり、図３は本発明の塗布装置に用いられるスリットダイの一例の模式断面図である。
【００１９】
本発明にかかる塗布装置は、スリットダイ１と、このスリットダイ１の基材３の搬送方向上流側に減圧手段１５を備える塗布装置である。
【００２０】
以下の説明において、基材３の搬送方向（Ｘ）における上流側を単に「上流側」、基材３の搬送方向（Ｘ）における下流側を単に「下流側」と言うことがある。また、「幅方向」とは、基材３の搬送方向（Ｘ）に直交する方向を意味する。
【００２１】
スリットダイ１のリップ５（下流側リップ１１ａと上流側リップ１２ａとで構成）から吐出された塗布液は、バックアップローラ２に支持されて矢印Ｘの方向に連続搬送する基材３に供給されてリップ５と基材３との間に塗布液のビード４を形成しながら、基材３上に塗布膜４ａが積層（塗布）される。
【００２２】
図１において、スリットダイ１は、少なくとも、２つのブロックと１つのシムプレートで形成されている。つまり、少なくとも、下流側ブロック１１および上流側ブロック１２と、下流側ブロック１１と上流側ブロックとの間に配置されるシムプレート１３によって形成されている。
【００２３】
そして、スリットダイ１のリップ５の幅方向の両端のそれぞれ外側に、スリットダイ１に対して基材３の搬送方向の下流側から上流側へ空気が移動するのを抑制するための邪魔板１４（１４ａ、１４ｂ）が設けられている。この邪魔板１４（１４ａ、１４ｂ）は、スリットダイ１のリップ５の幅方向両端のそれぞれ外側において、バックアップローラ２もしくは基材３とスリットダイ１との空隙から空気が下流側から上流側に移動（流入）する現象の発生を抑制する。この現象は、スリットダイ１の上流側に配置された減圧手段によって塗布液のビード４の上流側が減圧されるときに起こる。減圧手段および邪魔板の詳細は後述する。
【００２４】
シムプレート１３は、スリットダイ１の内部において先端方向に延在するスリット１７を形成するために下流側ブロック１１と上流側ブロック１２との間に配置される。シムプレート１３の形状や厚みを調整することによってスリット１７の開口厚みおよび開口幅（塗布幅）が調整される。
【００２５】
マニホールド１６は、スリットダイ１の幅方向にその断面形状（例えば円形もしくは半円形）が延長されて形成された塗布液の液溜め空間であり、マニホールド１６は下流側ブロック１１および／または上流側ブロック１２の内部に予め形成されたものである。
【００２６】
スリットダイ１のマニホールド１６に、図示しない配管によって送液された塗布液は、一旦マニホールドに溜り、幅方向に延展しながら、スリット１７を通って、リップ５から吐出され、連続搬送される基材３に塗布される。このとき、スリットダイ１のリップ５と基材３との間に、塗布液のビード４が形成される。
【００２７】
リップ５を構成する下流側リップ１１ａおよび上流側リップ１２ａは、それぞれ下流側ブロック１１および上流側ブロック１２に一体的に成形されていることが好ましい。
【００２８】
上記実施形態において、スリット１７は、下流側ブロック１１と上流側ブロック１２との間にシムプレート１３を配置することによって形成されているが、本発明の実施形態はシムプレート１３を配置せずにスリット１７を形成する態様を含む。例えば、下流側ブロック１１および上流側ブロック１２のどちらか一方、もしくは両方にスリット形成用の機械的段差を設けることによって、シムプレート１３を配置せずにスリット１７を形成することができる。上記機械的段差は、例えば、工作機械（フライス盤）で切削加工することによって形成することができる。
【００２９】
本発明にかかる塗布装置は、スリットダイ１の基材３の搬送方向上流側に減圧手段１５を備える。詳細には、減圧手段１５は、基材３の搬送方向に対して塗布液のビード４の上流側に配置され、この減圧手段を作動させることによって、塗布液のビード４の上流側が減圧され、ビードが安定化する。
【００３０】
このように減圧手段を配置し、塗布液のビードの上流側を減圧することにより、塗布液のビードが安定し、ビードが破断するという現象が抑制される。
【００３１】
減圧手段としては、特に限定されず、減圧チャンバー方式、減圧室調整用ブロックを設置する方式などを用いることができる。本発明では、塗布装置の小型化が図られ、かつ減圧手段設置の容易性の観点から、減圧室調整用ブロックを設置する方式が好ましく用いられる。かかる方式は、例えば、特開２００８−２３４０５号公報を参照することによって設置することができる。
【００３２】
減圧手段１５は、スリットダイ１を構成する上流側ブロック１２の凹み部に、減圧室調整用ブロック１５ａを設置することによって形成された減圧室１５ｂ、および減圧室１５ｂを減圧するための空気吸引孔（図示せず）および塗布装置外部から空気吸引孔に連接されたポンプ（図示せず）によって構成されている。
【００３３】
減圧手段１５は、スリットダイ１の幅方向に減圧用スリット１５ｃを有する。この減圧スリット１５ｃは、上流側リップ１２ａと減圧室調整用ブロック１５ａによって、これらの２つの部材の間にスリット状間隙を設けることによって形成されている。
【００３４】
この減圧用スリット１５ｃを介して塗布液のビード４の上流側の空気が減圧室１５ｂに流入し、減圧され、塗布液のビード４の安定化に寄与する。
【００３５】
しかし、一方、スリットダイ１の上流側に減圧手段１５を設けることにより、スリットダイ１のリップ５の幅方向両端のそれぞれ外側において下流側から上流側へ空気が移動するという現象が起こる。
【００３６】
つまり、従来の塗布装置は、図２における邪魔板１４ａおよび１４ｂが設けられていないために、上記したようにリップ５の幅方向両端のそれぞれ外側において下流側から上流側へ空気が移動（流入）するという現象が起こる。
【００３７】
この現象は、減圧手段による減圧効果を低下させる（十分な減圧圧力が得られない）。減圧効果が低下すると、塗布液のビード４が破断（ビードブレイク）しやすくなる。また、上記現象は塗布膜の幅方向端部の膜厚を変動させることがある。
【００３８】
ビードブレイクは、ビスコキャピラリーモデルより塗布速度が大きいほど、塗布液の粘度が低いほど、塗布液のウェット膜厚が小さいほど、塗布速度が大きいほど起き易い傾向にあり、また、塗布液ビードの上流側の減圧効果が低下することが、ビードブレイクを助長すると考えられる。
【００３９】
上記した問題は、特に、比較的低粘度の塗布液（例えば、２３℃での粘度が３０ｍＰａ・ｓ以下の塗布液）を比較的薄膜（例えば、ウェット膜厚が２０μｍ以下）で塗布するときに起こりやすい。
【００４０】
上記課題は、スリットダイ１のリップ５の幅方向両端のそれぞれ外側において下流側から上流側に空気が移動（流入）するのを抑制するための邪魔板を設けることによって解決する。
【００４１】
つまり、本発明の塗布装置は、搬送する基材に塗布液を塗布するためのスリットダイと、該スリットダイの基材搬送方向上流側に減圧手段とを少なくとも備える塗布装置であって、該スリットダイは、リップの幅方向両端のそれぞれ外側に、スリットダイに対して基材搬送方向の下流側から上流側へ空気が移動するのを抑制するための邪魔板を備え、該邪魔板は基材と接触しないように設けられていることを特徴とする、塗布装置である。
【００４２】
以下、本発明の塗布装置における邪魔板について詳細に説明する。
【００４３】
図４〜図７は、それぞれ本発明にかかる塗布装置の一例を示す要部の模式上面図である。
【００４４】
邪魔板１４ａおよび１４ｂは、スリットダイ１のリップ５の幅方向両端のそれぞれ外側設けられる。このとき、邪魔板１４ａおよび１４ｂが基材３と接触しないことが重要である。ここで、邪魔板１４ａおよび１４ｂが基材３と接触しない構成とするには、基材３の幅方向の厚み精度等を考慮して、邪魔板１４ａおよび１４ｂと基材３とのクリアランス（ｈ１）は５μｍ以上とすることが好ましく、１０μｍ以上とすることがより好ましく、２０μｍ以上とすることが特に好ましい。一方、上記クリアランス（ｈ１）が、大きくなり過ぎると、邪魔板の効果（空気が下流側から上流側に流入することを抑制する効果）が十分に得られなくなることがあるので、上限は１０００μｍ以下が好ましく、５００μｍ以下がより好ましく、１００μｍ以下が更に好ましく、５０μｍ以下が特に好ましい。
【００４５】
邪魔板と基材が接触しない構成を採ることによって、邪魔板と基材が接触するときの問題、即ち、塗布液が邪魔板を介して基材側に付着するという問題、基材に傷が付くという問題、および連続搬送する基材の微弱な振動が塗布液のビードに伝達されてビードが不安定となり塗布ムラなどを引き起こすという問題が、解消される。
【００４６】
本発明の塗布装置において、邪魔板はリップから吐出された塗布液と接触しないように設けられていることが好ましい。つまり、邪魔板１４ａおよび１４ｂが、リップ５から吐出された塗布液（塗布液のビード４）と接触しないことが好ましい。
【００４７】
邪魔板１４ａおよび１４ｂが、リップ５から吐出された塗布液（塗布液のビード４）と接触しないような構成を採ることによって、邪魔板と塗布液（塗布液のビード）が接触するときの問題、即ち、塗布液が毛管力によって邪魔板１４ａおよび１４ｂと基材３との間に回り込むという問題を抑制することができる。これによって、均一な塗布幅で安定的に塗布することができる。
【００４８】
邪魔板１４ａおよび１４ｂが、リップ５から吐出された塗布液（塗布液のビード４）と接触しない構成は、例えば、図４〜図７に示すような邪魔板の構成とすることによって実行される。
【００４９】
まず、図４〜図６における邪魔板１４ａおよび１４ｂは、リップ５の幅方向両端であってかつ塗布液の流れ方向における先端部（以下、リップ先端部という）５ａおよび５ｂと接触しないように設けられており、これによって、邪魔板１４ａおよび１４ｂが、リップ５から吐出された塗布液（塗布液のビード４）と接触することを回避することができる。
【００５０】
図４および図５における邪魔板１４ａおよび１４ｂは、リップ先端部５ａおよび５ｂとの間に切欠き部６ａおよび６ｂが設けられている。この切欠き部６ａおよび６ｂを設けることによって、邪魔板１４ａおよび１４ｂは、リップ先端部５ａおよび５ｂと接触しない構成とすることができる。
【００５１】
図６における邪魔板１４ａおよび１４ｂは、スリットダイにおける塗布液の流れ方向に対してリップ先端部５ａおよび５ｂより内側（上流側）に配置されている。つまり、リップ５と基材３とのクリアランス（ｈ０）に対して、邪魔板１４ａおよび１４ｂと基材３とのクリアランス（ｈ１）を大きくしている。図６の態様は、図４および図５のように邪魔板とリップ先端部との間に切欠き部を設けずに、邪魔板１４ａおよび１４ｂとリップ先端部５ａおよび５ｂとが接触しないような構成とする一つの例である。
【００５２】
図７における邪魔板１４ａおよび１４ｂは、リップ先端部５ａおよび５ｂの近傍に、切欠き部７ａおよび７ｂを有する。この態様の邪魔板は、リップ先端部５ａおよび５ｂと邪魔板の極一部が接触（点接触）し、リップ先端部５ａおよび５ｂの外側の近傍に、邪魔板の切欠き部７ａおよび７ｂが設けられている。これによって、邪魔板１４ａおよび１４ｂが、リップ５から吐出された塗布液（塗布液のビード４）と接触することを回避することができる。たとえ、邪魔板１４ａおよび１４ｂとリップ先端部５ａおよび５ｂとの接触点において、リップ５から吐出された塗布液（塗布液のビード４）が接触したとしても、邪魔板と塗布液との接触点は極わずかであるので、邪魔板と塗布液（塗布液のビード）とが接触するときの問題（塗布液が毛管力によって邪魔板１４ａおよび１４ｂと基材３との間に回り込むという問題）は十分に抑制することができる。
【００５３】
上述した邪魔板の中でも、リップ５から吐出された塗布液（塗布液のビード４）が毛管力によって邪魔板１４ａおよび１４ｂと基材３との間に回り込むことを抑制するという観点、および邪魔板の効果（空気が下流側から上流側に流入することを抑制する効果）を十分に確保するという観点から、図４、図５および図７の邪魔板が好ましく、特に、図４および図５の邪魔板が好ましい。
【００５４】
図４〜図７の邪魔板について、詳細に説明する。
【００５５】
図４および図５において、邪魔板１４ａおよび１４ｂは、リップの先端部５ａおよび５ｂとの間に切欠き部６ａおよび６ｂが設けられている。なお、図４ａおよび図５ａは、図４および図５における、切欠き部の平面形状を説明するための説明図である。図４ａおよび図５ａにおいて、横線にてハッチングされている箇所が切欠き部の平面形状である。
【００５６】
図５は、図４に対して、切欠き部６ａおよび６ｂと基材３との最大距離（ｈ２）が小さくなるように設計されている。ここで、切欠き部６ａおよび６ｂと基材３との最大距離（ｈ２）は、リップ５と基材３とのクリアランス（ｈ０）より大きくなるように設計されることが好ましい。
【００５７】
（ｈ２）と（ｈ０）との差（ｈ２−ｈ０）は、リップ５から吐出された塗布液（塗布液のビード４）が、邪魔板１４ａおよび１４ｂと接触しないように設計されることが好ましい。上記差（ｈ２−ｈ０）の最適な範囲は、ウェット膜厚によって適宜設計されることが好ましい。つまり、ウェット膜厚が大きくなるほど上記差（ｈ２−ｈ０）は大きく設計される。例えば、ウェット膜厚が１〜２０μｍの場合、上記差（ｈ２−ｈ０）は、２０μｍ以上が好ましく、３０μｍ以上がより好ましく、５０μｍ以上が特に好ましい。上記差（ｈ２−ｈ０）の上限は、リップ５の寸法（塗布液の流れ方向と平行な寸法）（ｈ４）と同等以下であることが好ましい。
【００５８】
図４において、上記差（ｈ２−ｈ０）は、リップの寸法（ｈ４）と同等に設計されている。本発明にかかるスリットダイにおいて、リップの寸法（ｈ４）は、特に限定されないが、１〜１０ｍｍの範囲が適当であり、２〜８ｍｍの範囲が好ましく、２〜５ｍｍの範囲が特に好ましい。
【００５９】
図５は、図４に対して、上記差（ｈ２−ｈ０）が小さくなるように設計されている。
【００６０】
図４および図５において、切欠き部６ａおよび６ｂの平面形状は三角形としているが、本発明はこれに限定されず、例えば、矩形や台形などの平面形状とすることができる。
【００６１】
切欠き部５ａおよび５ｂの平面形状は、三角形であることが好ましい。これによって切欠き部の平面面積を小さくしながら、邪魔板とリップ先端部との間隙（切欠き部の開口幅ｈ３）を有効寸法（リップから吐出された塗布液と邪魔板とが接触しないような寸法）に調整することができる。切欠き部の平面面積を小さくすることによって、邪魔板の効果（空気が下流側から上流側に流入することを抑制する効果）を十分に確保することができる。
【００６２】
切欠き部６ａおよび６ｂの開口幅（ｈ３）は、上記観点（リップから吐出された塗布液と邪魔板とが接触しないように設計するという観点）から、リップ５と基材３とのクリアランス（ｈ０）と同等もしくは大きいことが好ましい。つまり、両者の関係は、（ｈ０≦ｈ３）であることが好ましい。上記クリアランス（ｈ０）の好ましい範囲については後述する。
【００６３】
切欠き部６ａおよび６ｂの開口幅（ｈ３）は、大きくなり過ぎると、邪魔板の効果（空気が下流側から上流側に流入することを抑制する効果）が低下することがあるので、開口幅（ｈ３）の上限は、１０００μｍ以下が好ましく、５００μｍ以下がより好ましく、３００μｍ以下が特に好ましく、１００μｍ以下が最も好ましい。
【００６４】
図４および図５において、切欠き部６ａと６ｂとは、形状および大きさ（サイズ）を同等としているが、上記した形状および上記した数値範囲（ｈ１、ｈ２およびｈ３の数値範囲）の中で、異なるように設計してもよい。
【００６５】
図６における邪魔板１４ａおよび１４ｂは、スリットダイにおける塗布液の流れ方向に対してリップ先端部５ａおよび５ｂより内側（上流側）に配置されている。つまり、リップ５と基材３とのクリアランス（ｈ０）に対して、邪魔板１４ａおよび１４ｂと基材３とのクリアランス（ｈ１）を大きくしている。クリアランス（ｈ１）とクリアランス（ｈ０）の差（ｈ１−ｈ０）は、ウェット膜厚によって適宜設計されることが好ましい。つまり、ウェット膜厚が大きくなるほど上記差（ｈ１−ｈ０）を大きく設計されることが好ましい。例えば、ウェット膜厚が１〜２０μｍの場合、上記差（ｈ１−ｈ０）は、２０μｍ以上が好ましく、３０μｍ以上がより好ましく、５０μｍ以上が特に好ましい。上記差（ｈ１−ｈ０）が大きくなり過ぎると、邪魔板の効果（（大気が下流側から上流側に流入することを抑制する効果）が十分に得られないことがあるので、上限は９００μｍ以下が好ましく、５００μｍ以下がより好ましく、特に２００μｍ以下が特に好ましい。
【００６６】
図７における邪魔板の特徴は、邪魔板１４ａおよび１４ｂに切欠き部７ａおよび７ｂが設けられていることにあり、この特徴を除く他の構成は、前述の図４および図５における邪魔板と同様に設計することができる。なお、図７ａは、図７における、切欠き部の平面形状を説明するための説明図である。図７ａにおいて、横線にてハッチングされている箇所が切欠き部の平面形状となる。
【００６７】
本発明にかかる塗布装置において、邪魔板の幅方向寸法は、少なくとも基材３の幅方向両端より外側まで延展されていることが好ましい。
【００６８】
次に、邪魔板とリップとの位置関係および邪魔板と基材との位置関係について、それぞれ好ましい態様を図２および図４を用いて説明する。
【００６９】
前述したように、本発明の塗布装置は、比較的低粘度の塗布液を比較的薄膜で塗布する場合に好適である。具体的には、塗布液の２３℃粘度が３０ｍＰａ・ｓ以下である場合に好適であり、２０ｍＰａ・ｓ以下である場合により好適であり、１５ｍＰａ・ｓ以下の場合に特に好適である。下限の粘度は０．５ｍＰａ・ｓ程度である。
【００７０】
ウェット膜厚としては２０μｍ以下の場合に好適であり、１０μｍ以下の場合により好適であり、７μｍ以下の場合に特に好適である。下限のウェット膜厚は１μｍ程度である。
【００７１】
このような比較的低粘度の塗布液を比較的薄膜で塗布する場合、リップ５と基材３とのクリアランス（ｈ０）は、７０μｍ以下が好ましく、５０μｍ以下がより好ましく、４０μｍ以下が特に好ましい。下限のクリアランス（ｈ０）は１０μｍ程度である。
【００７２】
このような構成において、邪魔板１４ａおよび１４ｂをリップ５の先端より基材３側に大きく突出させると、邪魔板と基材が接触する危険性が高くなる。これを回避するために、邪魔板１４ａおよび１４ｂと基材３とのクリアランス（ｈ１）と上記クリアランス（ｈ０）との関係は、（ｈ１）は（ｈ０）と同等、もしくは下記式１を満足することが好ましい。
【００７３】
（ｈ０−５０μｍ）≦ｈ１≦（ｈ０＋５０μｍ）・・・式１
更に、クリアランス（ｈ１）とクリアランス（ｈ０）との関係は、下記式２を満足することがより好ましい。
【００７４】
（ｈ０−３０μｍ）≦ｈ１≦（ｈ０＋３０μｍ）・・・式２
特に、クリアランス（ｈ１）とクリアランス（ｈ０）との関係は、同等であることが最も好ましい。また、後述するように、スリットダイへの邪魔板取付け方法の好ましい一つの方法は、邪魔板がスリットダイを構成するシムプレートと一体的に成形されることであり、この観点から、シムプレートの成形加工の容易性の観点から、（ｈ１）と（ｈ０）は同等であることが好ましい。
【００７５】
上記した（ｈ０）と（ｈ１）との関係は、図４、図５および図７に示すように、リップ先端部と邪魔板との間に切欠き部が設けられた態様において好適である。
【００７６】
本発明にかかる塗布装置において、スリットダイに邪魔板を取付ける方法は、特に限定されないが、例えば、以下の方法を用いることが好ましい。
（ｉ）スリットダイを構成するシムプレートに邪魔板が一体的に成形されたシムプレートを用いる方法、
（ｉｉ）スリットダイのリップの幅方向両端のそれぞれ外側であってかつ基材に対向する面に、邪魔板挿入孔を設け、その挿入孔に邪魔板の一部を挿入し、邪魔板をスリットダイに固定する方法。
【００７７】
上記（ｉ）の邪魔板取付け方法に用いられるシムプレートは、図８（シムプレートの模式平面図）に示すように、シムプレート１３と邪魔板１４ａおよび１４ｂとが一体的に成形されている。
【００７８】
図８のシムプレート１３を図１に示すように下流側ブロック１１と上流側ブロック１２との間に配置することにより、図２および図４〜図７に示すように、邪魔板１４ａおよび１４ｂをリップ５の幅方向両端のそれぞれ外側に配置することができる。尚、図８に示すように、シムプレート１３の中央の空間部分が、スリット１７となり、この空間部分（スリット１７）の幅方向長さＬが塗布幅となる。
【００７９】
このように、（ｉ）の態様においては、スリットダイが、少なくとも、下流側ブロック、シムプレートおよび上流側ブロックをこの順に配置した構成を有し、前記邪魔板が前記シムプレートに一体的に成形されていることが好ましい。
【００８０】
上記（ｉｉ）の邪魔板取付け方法は、図９ａ（邪魔板が取付けられる前のスリットダイの模式上面図）に示すように、スリットダイ１のリップ５の幅方向両端のそれぞれ外側であってかつ基材（不図示）に対向する面２１ａおよび２１ｂに、邪魔板挿入孔２２ａおよび２２ｂが設けられており、図９ｂ（邪魔板が取付けられた後のスリットダイの模式上面図）に示すように、邪魔板挿入孔２２ａおよび２２ｂに邪魔板１４ａおよび１４ｂの一部が挿入されて取り付けられる。
【００８１】
（ｉｉ）の邪魔板取付け方法は、前述したように、スリットダイ１におけるスリット１７が、シムプレート１３を配置せずに、下流側ブロックおよび／または上流側ブロックに機械的段差を設けることによって形成されたスリットダイに好ましく適用される。
【００８２】
上記（ｉ）の邪魔板取付け方法は、邪魔板がシムプレートと一体的に成形されているので、スリットダイを組立てるだけで、邪魔板が配置されたスリットダイが得られるという利点がある。
【００８３】
上記（ｉｉ）の邪魔板取付け方法は、１つのスリットダイに対して邪魔板を自由に変更できるという利点がある。つまり、形状や大きさの異なる複数種の邪魔板を用意することによって、塗布条件の変更（例えば、ウェット膜厚やリップ５と基材３とのクリアランスｈ０の変更）に応じて、最適な邪魔板を選択して取付けることができる。
【００８４】
本発明に用いられる邪魔板の厚みは、特に限定されないが、０．３〜３ｍｍの範囲が適当であり、０．５〜２ｍｍの範囲が好ましい。邪魔板の材質は、上記厚みの範囲内で撓まない（自重や気流で撓まない）ような、比較的剛性度の高い材質が好ましく用いられる。邪魔板の材質としては、例えば、エンジニアリングプラスチック、三次元架橋樹脂、炭素鋼やステンレス鋼のような金属などが挙げられる。これらの中でも、炭素鋼やステンレス鋼のような金属が好ましく用いられる。
【００８５】
上記（ｉ）の邪魔板取付け方法は、スリットダイを構成するシムプレートと一体的に成形することであり、この観点から、シムプレートと同一の材質であることが好ましい。シムプレートの材質としては、比較的剛性度の高い材質が好ましく、例えば、炭素鋼やステンレス鋼などの金属が好ましく用いられる。また、この邪魔板取付け方法における邪魔板の厚みは、シムプレートの成形加工の容易性の観点から、シムプレートの厚みと同一であることが好ましい。但し、シムプレートと邪魔板の厚みを変更することも可能である。
【００８６】
上記（ｉｉ）の邪魔板取付け方法における邪魔板の材質についても、比較的剛性度の高い炭素鋼やステンレス鋼のような金属が好ましく用いられる。
【００８７】
以上、本発明にかかる塗布装置について好適な実施形態により説明してきたが、こうした記述は限定事項ではなく、種々の改変が可能である。例えば、スリットダイ１に対向する位置に設置されたバックアップローラ２によって基材３が支持されているが、バックアップローラは不在であってもよい。この場合は、基材３は２つのローラ間でテンション制御されることが好ましい。
【００８８】
また、スリットダイにおけるマニホールドおよびスリットは、２つのブロックと１つのシムプレートによって、それぞれ１つずつ（一組）形成されているが、本発明はこれに限定されず、マニホールドおよびスリットはそれぞれ２以上（二組以上）で構成されていてもよく、その場合は、ブロックおよびシムプレートの個数を増設することによって形成することができる。
【００８９】
例えば、下流側ブロック１１と上流側ブロック１２との間に、新たに中間ブロックとシムプレートを配置することによって、つまり、「下流側ブロック／シムプレート／中間ブロック／シムプレート／上流側ブロック」の構成にすることによって、２組のマニホールドとスリットを有するスリットダイを作製することができる。
【００９０】
次に、本発明にかかる塗布装置を用いた塗布方法および積層フィルムの製造方法について説明する。本発明にかかる塗布方法は積層フィルムの製造に好適である。
【００９１】
積層フィルムとしては、各種機能性フィルム、例えば、タッチパネル用透明導電性フィルム、タッチパネル用透明導電性フィルムのベースフィルム（例えばハードコートフィルムや屈折率調整フィルム）、ディスプレイの保護フィルム（例えばハードコートフィルム、帯電防止フィルム、防汚性フィルム）、光学フィルム（例えば反射防止フィルムや防眩性フィルム）、粘着フィルム、離形フィルム等が挙げられる。
【００９２】
これらの積層フィルムは、基材に各種機能性層を一層もしくは複数層塗布し積層することによって製造される。機能性層は、上記したような各種機能性フィルムに適した機能を有する層であれば良い。機能性層としては、例えば、導電層、ハードコート層、屈折率調整層、反射防止層、帯電防止層、防汚層、粘着剤層、離形層等が挙げられる。
【００９３】
基材としては、紙、プラスチックフィルム、金属箔、およびこれらの複合体が挙げられる。本発明は、基材としてプラスチックフィルムが好ましく用いられる。プラスチックフィルムは、幅方向の厚み精度が比較的良好であるため、前述したように、低粘度の塗布液を薄膜で塗布するときに、リップと基材とのクリアランス（ｈ０）および邪魔板と基材とのクリアランス（ｈ１）を小さくすることができるので好適である。
【００９４】
かかるプラスチックフィルムを構成する樹脂としては、ポリエチレンテレフタレート、ポリエチレンナフタレート等のポリエステル樹脂、トリアセチルセルロース等のセルロース樹脂、ポリエチレン、ポリプロピレン、ポリブチレン等のポリオレフィン樹脂、アクリル樹脂、ポリカーボネート樹脂、アートン樹脂、エポキシ樹脂、ポリイミド樹脂、ポリエーテルイミド樹脂、ポリアミド樹脂、ポリスルフォン樹脂、ポリフェニレンサルファイド樹脂、ポリエーテルスルフォン樹脂等が挙げられる。これらの中でも、ポリエステル樹脂、ポリオレフィン樹脂、アクリル樹脂、ポリカーボネート樹脂およびセルロース樹脂が好ましく、特にポリエステル樹脂が好ましく用いられ、更にポリエチレンテレフタレート樹脂が好ましく用いられる。また、基材は、上記の樹脂からなる層が２層以上積層された積層プラスチックフィルムであってもよい。基材の厚みは２０〜３００μｍの範囲が適当である。
【００９５】
上記したような機能性層の乾燥膜厚は、０．０１〜１０μｍ程度である。このような乾燥膜厚の小さい機能性層を形成するためには、塗布液のウェット膜厚を小さくする必要がある。例えば、ウェット膜厚は２０μｍ以下が好ましく、１０μｍ以下がより好ましく、７μｍ以下が特に好ましい。下限のウェット膜厚は１μｍ程度である。このように、基材フィルムに機能性層が積層されてなる機能性フィルムにおいては、薄い機能性層を設けるために塗布液のウェット膜厚を小さくする必要があるところ、本発明を適用することによって、均一な厚みの塗布膜を安定的に得ることができ、その結果、塗布スジや塗布ムラがない外観に優れる機能性フィルムを安定的に得ることができる。
【００９６】
また、上記したようにウェット膜厚を小さくして塗布する場合、および塗布速度を増速する場合、塗布液の粘度は比較的低粘度であることが好ましい。具体的には、２３℃粘度が３０ｍＰａ・ｓ以下が好ましく、２０ｍＰａ・ｓ以下がより好ましく、１５ｍＰａ・ｓ以下が特に好ましい。下限の粘度は０．５ｍＰａ・ｓ程度である。
【００９７】
本発明にかかる塗布装置を用いた塗布方法は、上記したように、２３℃粘度が３０ｍＰａ・ｓ以下である塗布液を、ウェット膜厚が２０μｍ以下で塗布する塗布方法において好適である。
【００９８】
本発明にかかる塗布装置を用いた塗布方法において、塗布幅は、７００〜３０００ｍｍ程度が適当であり、１０００〜２５００ｍｍの範囲が好ましい。
【００９９】
基材上に塗布液が塗布されて製膜された塗布膜は、乾燥工程で乾燥され、必要に応じて紫外線や電子線などの活性エネルギー線が照射されて硬化される。乾燥工程では、従来から行われている様々な乾燥手段を用いて乾燥することができる。例えば、スリット風乾燥、メッシュ風乾燥、赤外線乾燥、凝縮乾燥などを用いて基材に塗布された塗布膜を乾燥することができる。
【実施例】
【０１００】
以下、本発明の塗布装置の効果を具体的に説明するが、本発明はこの実施例に限定されない。
【０１０１】
［実施例１］
図１〜図３、図４および図８に示すような、邪魔板が配置されたスリットダイと減圧手段とを少なくとも備えた本発明の塗布装置を用いて、下記の条件で反射防止層を形成するための塗布液を塗布し、乾燥して反射防止フィルムを製造した。邪魔板は、スリットダイを構成するシムプレートに一体的に成形されたものである。
・リップと基材とのクリアランス（ｈ０）；３０μｍ
・邪魔板と基材とのクリアランス（ｈ１）；３０μｍ
・切欠き部と基材との最大距離（ｈ２）；３０３０μｍ
・切欠き部の開口幅（ｈ３）；４０μｍ
・塗布速度；５０ｍ／ｍｉｎ
・塗布液のウェット厚み；５μｍ
・塗布幅；１３００ｍｍ
・塗布液粘度（２３℃）；５ｍＰａ・ｓ
・基材；厚みが５０μｍ、幅１５００ｍｍのポリエチレンテレフタレートフィルム。
【０１０２】
＜塗布膜の評価＞
塗布幅方向に均一な厚みの塗布膜が得られ、外観も塗布スジや塗布ムラがなく良好であった。
【０１０３】
［比較例１］
邪魔板を設置しないこと以外は実施例１と同様の塗布装置を用いて、実施例１と同一条件で塗布した。
【０１０４】
＜塗布膜の評価＞
ビードブレイクが発生し、良好な塗布膜が得られなかった。
【符号の説明】
【０１０５】
１  スリットダイ
２  バックアップローラ
３  基材
４  塗布液のビード
４ａ  塗布膜
５  リップ
５ａ、５ｂ  リップ先端部
６ａ、６ｂ  リップの先端部と邪魔板との間の切欠き部
７ａ、７ｂ  邪魔板に設けられた切欠き部
１１  下流側ブロック
１１ａ  下流側リップ
１２  上流側ブロック
１２ａ  上流側リップ
１３  シムプレート
１４、１４ａ、１４ｂ  邪魔板
１５  減圧手段
１５ａ  減圧室調整用ブロック
１５ｂ  減圧室
１５ｃ  減圧用スリット
１６  マニホールド
１７  スリット
２１ａ、２１ｂ  スリットダイの邪魔板挿入孔が設けられる面
２２ａ、２２ｂ  スリットダイに設けられた邪魔板挿入孔
ｈ０  リップと基材とのクリアランス
ｈ１  邪魔板と基材とのクリアランス
ｈ２  切欠き部と基材との最大距離
ｈ３  切欠き部の開口幅
ｈ４  リップの寸法
Ｌ  塗布幅
Ｘ  基材の搬送方向
【図１】
2016175052.tif 000003
【図２】
2016175052.tif 000004
【図３】
2016175052.tif 000005
【図４】
2016175052.tif 000006
【図４ａ】
2016175052.tif 000007
【図５】
2016175052.tif 000008
【図５ａ】
2016175052.tif 000009
【図６】
2016175052.tif 000010
【図７】
2016175052.tif 000011
【図７ａ】
2016175052.tif 000012
【図８】
2016175052.tif 000013
【図９ａ】
2016175052.tif 000014
【図９ｂ】
2016175052.tif 000015